(57)【要約】  端末から所定の信号群のうち、いずれかの信号列を受信すると要求帯域幅を通知するための上り方向チャネルを割当て、前記端末から通知された帯域幅に応じた送信帯域を前記端末に割当てる無線基地局に対して、メッセージを送信する中継局において、前記所定の信号群に含まれない特定の信号列を送信する送信部を備え、前記要求帯域幅を通知するための上り方向チャネルを割当てられることなく、前記無線基地局から前記送信帯域を割当てられることを特徴とする。
2008044317.tif 000002
【特許請求の範囲】
【請求項１】
端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局と、該端末との間に介在して中継を行う中継局において、
前記所定の信号列群に含まれない特定の信号列を送信する送信部を備え、
該特定の信号列を受信した前記無線基地局から要求帯域の通知のための上り方向のチャネルを割り当てられることなく、所定の送信帯域の割り当てを受けることを特徴とする中継局。
【請求項２】
前記特定の信号列は、前記無線基地局から指定されることを特徴とする請求項１記載の中継局。
【請求項３】
端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局において、
中継局から前記所定の信号列群に含まれない特定の信号列を受信すると、要求帯域を通知するための上り方向チャネルを割当てずに、前記中継局に対して所定の送信帯域を割当てる制御部、
を備えることを特徴とする無線基地局。
【請求項４】
前記制御部は、前記中継局に前記送信帯域を割当てるとき、前記特定の信号列を送信した前記各中継局に夫々個別の帯域を割当てることを特徴とする請求項３記載の無線基地局。
【請求項５】
前記制御部は、前記中継局に前記送信帯域を割当てるとき、複数の前記中継局で共用される帯域を割当てることを特徴とする請求項３記載の無線基地局。
【請求項６】
中継局を介して端末に送信帯域を割り当てる無線基地局において、
前記端末に対して前記送信帯域を割当てた後、所定時間経過後に、該中継局から帯域要求を受信することなく前記端末に割当てた前記送信帯域と同じ送信帯域をもつ送信帯域を前記中継局に割当てる制御部、
を備えることを特徴とする無線基地局。
【請求項７】
前記制御部の前記割り当て制御は、受信するデータのサービス品質が、所定の品質を示すことを条件に行われることを特徴する請求項６記載の無線基地局。
【請求項８】
前記所定時間は、前記中継局から前記無線基地局に通知されることを特徴とする請求項６記載の無線基地局。
【請求項９】
前記所定時間は、前記中継局と前記無線基地局とが接続を開始するときに交換されるレンジングメッセージ、基本機能メッセージ、登録メッセージのいずれかにより前記中継局から通知されることを特徴とする請求項６記載の無線基地局。
【請求項１０】
前記制御部は、前記特定の信号列を受信すると、前記特定の信号列に対応する送信帯域を前記中継局に割当てることを特徴する請求項３記載の無線基地局。
【請求項１１】
無線基地局と端末との間で中継局を介して無線通信を行う無線通信システムにおける無線基地局による帯域割当て方法において、  
中継局に送信するデータの送信帯域を前記端末に割当て、
該割り当ての後に、前記中継局から更なる帯域の割り当て要求を受信せずに、前記中継局に前記データを該無線基地局に送信するための帯域を割当てる、
ことを特徴とする帯域割当て方法。
【請求項１２】
無線基地局と端末との間で中継局を介して無線通信を行う無線通信システムにおける無線基地局による帯域割当て方法において、
該無線基地局から該中継局に該端末宛のデータを送信し、
該送信の後に、該中継局に送信帯域の割り当て要求を受信せずに、前記データを前記端末に送信するための帯域を前記中継局に割当てる、
ことを特徴する帯域割当て方法。
【請求項１３】
前記帯域の割り当ては、前記データのサービス品質が所定の品質であることを条件に行うことを特徴とする請求項１１または１２いずれか一に記載の帯域割当て方法。
【請求項１４】
前記所定時間は、前記中継局から前記無線基地局に通知されることを特徴とする請求項１１または１２いずれか一に記載の帯域割当て方法。
【請求項１５】
前記所定時間は、前記中継局と前記無線基地局とが接続を開始するときに交換されるレンジングメッセージ、基本機能メッセージ、登録メッセージのいずれかにより前記中継局から前記無線基地局に通知されることを特徴とする請求項１１または１２のいずれか一に記載の帯域割当て方法。
【請求項１６】
端末からレンジング用信号列群のうち、いずれかの信号列を受信すると、当該信号列に応答するための応答情報を前記端末に送信し、レンジング要求の送信帯域を前記端末に割当てる無線基地局と、該端末の間に介在して中継を行う中継局において、
前記信号列群に含まれない、特定の信号列を送信する送信部を備え、
要求帯域を通知するための上り方向チャネルを割当てられることなく、前記端末から受信したレンジング用信号列に関する情報を送信するための所定の送信帯域を割当てられることを特徴とする中継局。
【請求項１７】
端末からレンジング用信号列群のうち、いずれかの信号列を受信すると当該レンジング信号に応答するための応答情報を前記端末に送信し、レンジング要求の送信帯域を前記端末に割当てる無線基地局において、
中継局から前記信号列群に含まれない特定の信号列を受信すると、要求帯域を通知するための上り方向チャネルを割当てずに、前記中継局に対して、前記中継局が受信したレンジング用信号列に関する情報を送信するための送信帯域を割当てる制御部、
を備えることを特徴とする無線基地局。
【請求項１８】
端末と無線基地局との間で無線通信を行う中継局において、
要求する帯域割当て量と割当てを受ける時間を指定する情報を含む帯域要求メッセージを生成する帯域要求メッセージ生成部と、
前記帯域要求メッセージを前記無線基地局に送信する送信部と、
を備えることを特徴とする中継局。
【請求項１９】
端末と中継局を介して無線通信を行う無線基地局において、
要求された帯域割当て量と割当てを受ける時間とが指定された情報を含む帯域要求メッセージを、前記中継局から受信する受信部と、
前記帯域要求メッセージに含まれる前記割当てを受ける時間経過後に、前記要求された帯域割当て量の全部または一部を前記中継局に割当てる帯域割当て部と、
を備えることを特徴とする無線基地局。  
【請求項２０】
端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局に対して、メッセージを送信する中継局における帯域割当て方法において、
前記所定の信号群に含まれない特定の信号列を送信し、
要求帯域を通知するための上り方向チャネルを割当てられることなく、前記無線基地局から前記送信帯域を割当てられる、
ことを特徴とする帯域割当て方法。
【請求項２１】
受信した信号列の種別を判定し、要求帯域を通知するためのチャネルを割り当てることなく、コードの種別に応じて異なる送信帯域を送信装置に割り当てる制御部、
を備えたことを特徴とする無線基地局。
【発明の詳細な説明】
【技術分野】
【０００１】
本発明は、無線通信を利用した無線基地局、中継局、及び帯域割当方法に関する。詳しくは、中継局を介した無線端末と無線基地局の間で適切に帯域を割当てる無線基地局等に関する。
【背景技術】
【０００２】
無線通信システムの例として挙げられる、ＩＥＥＥ８０２．１６ＷＧでは、主に、固定通信用途向けのＩＥＥＥ８０２．１６ｄ（例えば、以下の非特許文献１）と、移動通信用途向けのＩＥＥＥ８０２．１６ｅ（例えば、以下の非特許文献２）の２種類を規定している。【０００３】
図２０は、かかるＩＥＥＥ８０２．１６ｄとＩＥＥＥ８０２．１６ｅのサービスイメージを示す図である。１つの無線基地局１００に、複数の端末１０１〜１０３が接続されるＰ−ＭＰ（Point-to-Multipoint）型接続を基本としている。【０００４】
このようにＩＥＥＥ８０２．１６ｄ等は、Ｐ−ＭＰ型接続を基本とするため、サービスエリアが無線基地局１００のカバーするカバーエリア（セル）に制限され、セルエッジでは通信レートが低くなる問題があった。【０００５】
この問題を解消するため、ＩＥＥＥ８０２．１６ＷＧでは、無線基地局と無線端末の間で通信を中継する中継局について検討を開始している（ＩＥＥＥ８０２．１６ｊ）。【０００６】
一方、ＩＥＥＥ８０２．１６ｄやＩＥＥＥ８０２．１６ｅでは、無線通信を行うだけの帯域（サブチャンネルとシンボルで規定される値）割当てを行った後に、無線基地局と無線端末とで無線通信を行うようにしている。図２１は、無線端末ＭＳと無線基地局ＢＳとの間で行われる、帯域割当てのシーケンスの例を示す図である。【０００７】
まず、無線端末ＭＳは、ＣＤＭＡ  Ｃｏｄｅ（信号列）群のうち帯域要求を示すＢａｎｄｗｉｔｈ−Ｒｅｑｕｅｓｔ用のＣｏｄｅ群に含まれるいずれかのＣＤＭＡ  Ｃｏｄｅ（以下、「ＢＷ  Ｒｅｑ  Ｃｏｄｅ」）を送信する（Ｓ２００）。【０００８】
尚、ＣＤＭＡ  Ｃｏｄｅは、Ｂａｎｄｗｉｔｈ−Ｒｅｑｕｅｓｔ用以外にも、無線基地局ＢＳと通信するときの送信電力の調整、タイミング等のためのＩｎｉｔｉａｌ−Ｒａｎｇｉｎｇ用と、それを周期的に補正するためのＰｅｒｉｏｄｉｃ−Ｒａｎｇｉｎｇ用と、無線基地局ＢＳを切替えるときに使用されるＨａｎｄｏｖｅｒ−Ｒａｎｇｉｎｇ用のものがある。【０００９】
次いで、無線基地局ＢＳは、ＵＬ−ＭＡＰメッセージを送信する（Ｓ２０１）。図２２は、ＵＬ−ＭＡＰメッセージのフォーマット例を示す図である。このＵＬ−ＭＡＰメッセージには、インフォメーションエレメントとして、ＣＤＭＡ  Ａｌｌｏｃａｔｉｏｎ  ＩＥが付加されている。ＣＤＭＡ  Ｃｏｄｅを受信した無線基地局ＢＳは、受信Ｃｏｄｅに関する情報（例えば、Ｃｏｄｅの値、Ｃｏｄｅを送信したタイミング、サブチャンネルの情報等）の他に無線端末ＭＳから帯域要求メッセージを送信できるだけの帯域を割当てる情報（Duration）を、このＣＤＭＡ  Ａｌｌｏｃａｔｉｏｎ  ＩＥフィールドに挿入している。【００１０】
図２２に示すように、ＣＤＭＡ  Ａｌｌｏｃａｔｉｏｎ  ＩＥのうちの、「Ｆｒａｍｅ  Ｎｕｍｂｅｒ  Ｉｎｄｅｘ」がＣＤＭＡ  Ｃｏｄｅが送信されたフレーム番号を示し、「Ｒａｎｇｉｎｇ  Ｃｏｄｅ」はＣＤＭＡ  ＣｏｄｅのＩｎｄｅｘを示し、「Ｒａｎｇｉｎｇ  Ｓｙｍｂｏｌ」と「Ｒａｎｇｉｎｇ  Ｓｕｂｃｈａｎｎｎｅｌ」は、ＣＤＭＡ  Ｃｏｄｅが送信された夫々シンボルとサブチャンネルを示す。これらの情報により、ＣＤＭＡ  Ｃｏｄｅの送信者はＣＤＭＡ  Ａｌｌｏｃａｔｉｏｎ  ＩＥが自分宛であるか否かを判別でき、「Ｄｕｒａｔｉｏｎ」で与えられた帯域を使用して帯域要求メッセージを送信できる。【００１１】
尚、図２２において、ＵＩＵＣフィールドが２箇所存在するが、最初のＵＩＵＣはＣＤＭＡ  Ａｌｌｏｃａｔｉｏｎ  ＩＥを示し、２つ目のＵＩＵＣは割当てられた帯域で無線端末ＭＳが使用する変調方式や符号化方式を表す識別子を意味する。通常、この段階で無線基地局ＢＳは無線端末ＭＳを特定していないため、どの無線端末ＭＳとも通信可能な変調方式（例えば、ＱＰＳＫ）や符号化方式が指定される。【００１２】
図２１に戻り、ＣＤＭＡ  Ａｌｌｏｃａｔｉｏｎ  ＩＥを含むＵＬ−ＭＡＰメッセージを受信した無線端末ＭＳは、このＵＬ−ＭＡＰメッセージにより割当てられた帯域を利用して、その後にデータパケットを送信できるだけの帯域を要求する帯域要求メッセージ（図中、「ＢＷ  Ｒｅｑ  ＧＭＨ」）を無線基地局ＢＳに送信する（Ｓ２０２）。【００１３】
図２３（Ａ）は、帯域要求メッセージＭ１のフォーマット例を示し、図２３（Ｂ）は各フィールドに挿入される値の説明を示す図である。要求する帯域は、ＢＲ（Bandwidth Request）フィールドに挿入される。【００１４】
図２０に戻り、帯域要求メッセージを受信した無線基地局ＢＳは、割当ての可否を判断して、ＵＬ―ＭＡＰメッセージを利用して無線端末ＭＳに所定の帯域を割り当てる（Ｓ２０３）。ＵＬ−ＭＡＰメッセージには、コネクションの識別子を示すＣＩＤ（Connection Identifier）と、変調方式及び符号化方式を表すＵＩＵＣ、割当てる帯域量を表すＤｕｒａｔｉｏｎが含まれる。【００１５】
そして、無線端末ＭＳは割当てられた帯域を利用してデータパケットを送信する（Ｓ２０４）。
【非特許文献１】IEEE Std802.16-2004
【非特許文献２】IEEE Std802.16e-2005
【発明の開示】
【発明が解決しようとする課題】
【００１６】
前述の帯域割り当ては、無線端末ＭＳと無線基地局ＢＳとの間で直接行われるものであり、中継局が介在する場合に、どのように帯域割り当てを行うかを教示するものではない。【００１７】
そこで、本発明の目的の１側面は、中継局を介した無線端末と無線基地局との間での無線通信において帯域割当てを適切に行うことのできる無線基地局や、中継局、及び帯域割当て方法を提供することにある。【００１８】
また、本発明の目的の他の１側面は、遅延なく高速に帯域割当てを行うことのできる無線基地局等を提供することにある。
【課題を解決するための手段】
【００１９】
上記目的を達成するために、本発明の一実施態様によれば、端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局と、該端末との間に介在して中継を行う中継局において、前記所定の信号列群に含まれない特定の信号列を送信する送信部を備え、該特定の信号列を受信した前記無線基地局から要求帯域の通知のための上り方向のチャネルを割り当てられることなく、所定の送信帯域の割り当てを受けることを特徴とする。【００２０】
また、上記目的を達成するために、本発明の他の実施態様によれば、端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局において、中継局から前記所定の信号列群に含まれない特定の信号列を受信すると、要求帯域を通知するための上り方向チャネルを割当てずに、前記中継局に対して所定の送信帯域を割当てる制御部を備えることを特徴とする。【００２１】
更に、上記目的を達成するために、本発明の他の実施態様によれば、無線基地局と端末との間で中継局を介して無線通信を行う無線通信システムにおける無線基地局による帯域割当て方法において、中継局に送信するデータの送信帯域を前記端末に割当て、該割り当ての後に、前記中継局から更なる帯域の割り当て要求を受信せずに、前記中継局に前記データを該無線基地局に送信するための帯域を割当てることを特徴とする。
【発明の効果】
【００２２】
本発明によれば、中継局を介した無線端末と無線基地局との間での無線通信において帯域割当てを適切に行うことができる無線基地局や、中継局、及び帯域割当て方法を提供することができる。また、本発明によれば、遅延なく高速に帯域割当てを行うことのできる無線基地局等を提供することができる。
【図面の簡単な説明】
【００２３】
【図１】図１は第１の実施例におけるシーケンスの例を示す図である。
【図２】図２は第１の実施例におけるシーケンスの例を示す図である。
【図３】図３は第２の実施例におけるシーケンスの例を示す図である。
【図４】図４（Ａ）は管理テーブルの例を示し、同図（Ｂ）は無線基地局における処理の例を示すフローチャートである。
【図５】図５は無線基地局における処理の例を示すフローチャートである。
【図６】図６は無線基地局のブロック構成例を示す図である。
【図７】図７（Ａ）乃至同図（Ｃ）は、管理テーブルの例を示す図である。
【図８】図８は中継局のブロック構成例を示す図である。
【図９】図９は中継局における処理の例を示すフローチャートである。
【図１０】図１０（Ａ）及び同図（Ｂ）は管理テーブルの例を示す図である。
【図１１】図１１（Ａ）は無線基地局における処理の例を示すフローチャートであり、同図（Ｂ）は管理テーブルの例を示す図である。
【図１２】図１２（Ａ）は関連付けテーブルの例を示し、同図（Ｂ）は第５の実施例におけるシーケンスの例を示す図である。
【図１３】図１３（Ａ）は第６の実施例におけるシーケンスの例を示し、同図（Ｂ）は第２の帯域要求メッセージのフォーマット例を示す図である。
【図１４】図１４は中継局のブロック構成例を示す図である。
【図１５】図１５（Ａ）は無線基地局における処理、同図（Ｂ）は中継局における処理、それぞれの例を示すフローチャートである。
【図１６】図１６（Ａ）は第７の実施例におけるシーケンスの例を示し、同図（Ｂ）は無線基地局の処理の例を示すフローチャートである。
【図１７】図１７（Ａ）は第８の実施例におけるシーケンスの例を示し、同図（Ｂ）及び（Ｃ）は遅延情報を含むフィールドの例を示す図である。
【図１８】図１８はＳＢＣ−ＲＥＱメッセージのフォーマット例を示す図である。
【図１９】図１９（Ａ）は第９の実施例におけるシーケンスの例を示し、同図（Ｂ）はＲＮＧ−ＲＥＱに含まれる情報の例を示す図である。
【図２０】図２０は従来技術におけるサービスイメージを示す図である。
【図２１】図２１は従来技術におけるシーケンスの例を示す図である。
【図２２】図２２はＵＬ−ＭＡＰメッセージのフォーマット例を示す図である。
【図２３】図２３（Ａ）は帯域要求メッセージのフォーマット例、同図（Ｂ）はその説明を示す図である。
【符号の説明】
【００２４】
１１：受信部                          １２：制御メッセージ抽出部
１５：Ｃｏｄｅ受信部                  １６：ＭＡＰ情報生成部
３１：受信部                          ３２：制御メッセージ抽出部
３５：Ｃｏｄｅ受信部                  ３６：制御メッセージ生成部
３７：ＭＡＰ情報解析部                ３８：Ｃｏｄｅ生成部
４０：制御メッセージ解析部            ４１：ＭＡＰ情報生成部
ＭＳ：無線端末                        ＲＳ：中継局
ＢＳ：無線基地局                      Ｔ１〜Ｔ７：第１〜第７の管理テーブル
Ｔ８：関連付けテーブル
【発明を実施するための最良の形態】
【００２５】
本発明を実施するための最良の形態について以下説明する。
【第１の実施例】
【００２６】
図１及び図２は、第１の実施例における帯域により割当てのシーケンス例を示す図である。図１は、無線基地局ＢＳが中継局ＲＳ配下の無線端末ＭＳに対して送信帯域を割当てるためのＵＬ−ＭＡＰメッセージを生成する場合の例（Centralized Scheduling）で、図２は中継局ＲＳがＵＬ−ＭＡＰメッセージを生成する場合の例（Distributed
Scheduling）である。尚、無線端末ＭＳと中継局ＲＳ、及び無線基地局ＢＳにより無線通信システムが構成される。
【００２７】
図１から説明する。まず、無線端末ＭＳはＣＤＭＡ  Ｃｏｄｅ（信号列）群のうち帯域要求を示すＢＷ  Ｒｅｑ  Ｃｏｄｅ（信号列）群に含まれる１つのＣＤＭＡ  Ｃｏｄｅを中継局ＲＳに送信する（Ｓ１０）。尚、ＢＷ  Ｒｅｑ  Ｃｏｄｅ群を１つのＣＤＭＡ  Ｃｏｄｅにより構成することもできる。
【００２８】
このＣＤＭＡ  Ｃｏｄｅを受信した中継局ＲＳは、無線端末ＭＳから受信したＣｏｄｅの値、その送信タイミング、サブチャンネル等の情報（ＢＷ  Ｒｅｑ  Ｍｓｇ）を無線基地局に通知するが、そのためには、まず、送信帯域を確保しなければならない。
【００２９】
従って、中継局ＲＳは、無線端末ＭＳと同様に、無線基地局ＢＳに対して、ＢＷ  Ｒｅｑ  Ｃｏｄｅ群に含まれる１つのＣＤＭＡ  Ｃｏｄｅを選択し送信する（Ｓ１１）。
【００３０】
このＢＷ  Ｒｅｑ  Ｃｏｄｅを受信した無線基地局ＢＳは、このＣｏｄｅを送信した中継局ＲＳを特定できない。従って、このＣｏｄｅの値、送信タイミング、サブチャンネル、Ｆｒａｍｅ  Ｎｕｍｂｅｒ  Ｉｎｄｅｘ等の情報と、帯域要求メッセージとを中継局ＲＳが送信できるだけの上り方向のチャネルを割り当てるべく、ＣＤＭＡ  Ａｌｌｏｃａｔｉｏｎ  ＩＥを含むＵＬ−ＭＡＰメッセージを中継局ＲＳに送信する（Ｓ１２）。
次いで、中継局ＲＳは、割当てられた上り方向のチャネルを利用して、帯域要求メッセージ（ＢＷ  Ｒｅｑ  ＧＭＨ）を、無線基地局ＢＳに送信する（Ｓ１３）。
【００３１】
尚、この帯域要求メッセージは、中継局ＲＳが受信したコードに関する情報を含むメッセージ（図中ＢＷ  Ｒｅｑ  Ｍｓｇ）の送信に必要とされる帯域分だけ送信帯域を要求するものである。無線基地局ＢＳは、ＢＷ  Ｒｅｑ  Ｍｓｇに基づいてＣＤＭＡ  Ａｌｌｏｃａｔｉｏｎ  ＩＥを送信することとなる。
【００３２】
さて、次いで、無線基地局ＢＳは、帯域割当ての可否を判断して、ＵＬ−ＭＡＰメッセージを利用して、中継局ＲＳに所定の帯域を割当てる（Ｓ１４）。
【００３３】
次いで、中継局ＲＳは、割当てられた所定の帯域を利用して、無線基地局ＢＳから無線端末ＭＳに送信情報メッセージ（ＢＷ  Ｒｅｑ  Ｍｓｇ）を無線基地局ＢＳに送信する（Ｓ１５）。
【００３４】
送信情報メッセージには、Ｆｒａｍｅ  Ｎｕｍｂｅｒ  Ｉｎｄｅｘ、Ｒａｎｇｉｎｇ  Ｃｏｄｅ、Ｒａｎｇｉｎｇ  Ｓｙｍｂｏｌ、Ｒａｎｇｉｎｇ  Ｓｕｂｃｈａｎｎｅｌの受信コードに関する各情報が含まれる。
【００３５】
次いで、無線基地局ＢＳは、ＣＤＭＡ  Ａｌｌｏｃａｔｉｏｎ  ＩＥを含むＵＬ−ＭＡＰメッセージを無線端末ＭＳに送信する（Ｓ１６）。
【００３６】
次いで、無線端末ＭＳは、データパケットを送信できるための帯域を要求する帯域要求メッセージ（ＢＷ  Ｒｅｑ  ＧＭＨ）を中継局ＲＳに送信する（Ｓ１７）。
【００３７】
次いで、中継局ＲＳは、帯域要求メッセージを無線基地局ＢＳに送信するための帯域割当てを受けるために、再度、ＢＷ  Ｒｅｑ  Ｃｏｄｅを無線基地局ＢＳに送信する（Ｓ１８）。
【００３８】
そして、無線基地局ＢＳは帯域割当てを行い（Ｓ１９）、中継局ＲＳは割当てられた帯域を利用して、無線端末ＭＳからの帯域要求メッセージを送信する（Ｓ２０）。
【００３９】
次いで、無線基地局ＢＳは、帯域割当ての可否を判断し、無線端末ＭＳに対してＵＬ−ＭＡＰを利用してデータパケットを送信するための帯域を割当てる（Ｓ２１）。
【００４０】
次いで、無線端末ＭＳはデータパケットを中継局ＲＳに送信する（Ｓ２２）。
【００４１】
次いで、中継局ＲＳは、そのデータパケットを無線基地局ＢＳに送信するための帯域割当てを受けるために、ＢＷ  Ｒｅｑ  Ｃｏｄｅを無線基地局ＢＳに送信する（Ｓ２３）。無線基地局ＢＳは帯域要求メッセージを送信するための帯域を中継局ＲＳに割当てて（Ｓ２４）、中継局ＲＳはその帯域を利用してデータパケットを送信するための帯域割当てを受けるために帯域要求メッセージを送信する（Ｓ２５）。無線基地局ＢＳは、データパケット送信するための帯域を中継局ＲＳに割当て（Ｓ２６）、中継局ＲＳはその帯域を利用してデータパケットを無線基地局ＢＳに送信する（Ｓ２７）。
【００４２】
次に、中継局ＲＳが無線端末ＭＳに帯域割当てを行うＵＬ−ＭＡＰメッセージを生成する図２について説明する。
まず、無線端末ＭＳはＢＷ  Ｒｅｑ  Ｃｏｄｅを中継局ＲＳに送信する（Ｓ３０）。図１の例と略同様に、中継局ＲＳが無線端末ＭＳにＣＤＭＡ  Ａｌｌｏｃａｔｉｏｎ  ＩＥを送信できるようにするため、Ｃｏｄｅの値、その送信タイミング、サブチャンネル等の情報を通知する必要があり、これらの情報を送信できるだけの帯域割当てを受けるために、このＢＷ  Ｒｅｑ  Ｃｏｄｅを送信する。
【００４３】
次いで、中継局ＲＳは帯域要求メッセージを送信するための帯域を割当てたＣＤＭＡ  Ａｌｌｏｃａｔｉｏｎ  ＩＥを無線端末ＭＳに送信する（Ｓ３１）。
【００４４】
次いで、無線端末ＭＳは、割当てられた帯域を利用して、データパケットを送信するための帯域割当てを受けるために帯域要求メッセージを送信する（Ｓ３２）。
【００４５】
次いで、中継局ＲＳは帯域要求メッセージに基づいて、ＵＬ−ＭＡＰメッセージを利用して無線端末ＭＳに帯域を割当てる（Ｓ３３）。
【００４６】
次いで、無線端末ＭＳは割当てられた帯域を利用してデータパケットを中継局ＲＳに送信する（Ｓ３４）。
【００４７】
次いで、中継局ＲＳは、ＢＷ  Ｒｅｑ  Ｃｏｄｅを利用して、受信したデータパケットを送信するための帯域の割当てを要求する（Ｓ３５）。
【００４８】
次いで、無線基地局ＢＳは、帯域要求メッセージを送信するための帯域を割当てたＣＤＭＡ  Ａｌｌｏｃａｔｉｏｎ  ＩＥを中継局ＲＳに送信し（Ｓ３６）、中継局ＲＳはその帯域を利用してデータパケットを送信するための帯域割当てを受けるための帯域要求メッセージを無線基地局ＢＳに送信する（Ｓ３７）。
【００４９】
次いで、無線基地局ＢＳはＵＬ−ＭＡＰメッセージを利用して帯域を割当て（Ｓ３８）、中継局ＲＳは割当てられた帯域を利用してデータパケットを無線基地局ＢＳに送信する（Ｓ３９）。
【００５０】
このように、上述した例では、中継局ＲＳを介して順序よくＣｏｄｅやメッセージ等の送信を行うことにより、無線端末ＭＳから中継局ＲＳを介して無線基地局ＢＳに割当てられた帯域を利用してデータパケットを送信することができるため、帯域割当てを適切に行うことができる。
【第２の実施例】
【００５１】
次に、図３乃至図９を参照して、第２の実施例について説明する。
【００５２】
本第２の実施例では、第１の実施例よりもさらに処理を高速にした例である。本第２の実施例では、無線端末ＭＳから所定のＢＷ  Ｒｅｑ用のＣＤＭＡ  Ｃｏｄｅ（信号列）群（例えば、Ｃｏｄｅ１、２、３）に含まれる１つのＣＤＭＡ  Ｃｏｄｅを受信した中継局ＲＳは、無線基地局ＢＳに対して、予め決められた特定のＢＷ  Ｒｅｑ用の
ＣＤＭＡ  Ｃｏｄｅ（例えば、Ｃｏｄｅ４）を送信する。
【００５３】
即ち、中継局は、無線端末ＭＳがＢＷ  Ｒｅｑ用として用いるＣＤＭＡ  Ｃｏｄｅとは、異なるＣｏｄｅを特定のＢＷ  Ｒｅｑ用のＣｏｄｅとして用いる。
【００５４】
この特定のＣｏｄｅを受信した無線基地局ＢＳは、帯域要求が無線端末ＭＳからではなく、ある特定の中継局ＲＳからの帯域要求であることを認識し、中継局ＲＳに帯域要求メッセージを送信させることなく、必要な送信帯域（予め定められた所定の帯域）を中継局ＲＳに割当てる。
【００５５】
無線基地局ＢＳの配下に複数の中継局が存在する場合は、中継局毎に異なる特定のＣｏｄｅを割り当てておき、各中継局は割り当てられたＣｏｄｅを特定のコードとして用いることが好ましい。中継局が複数存在しても、Ｃｏｄｅの種類により中継局を特定することができるからである。
【００５６】
さらに、無線端末ＭＳに帯域を割当てた後、中継局ＲＳが無線端末ＭＳからの送信データを無線基地局ＢＳに転送することが想定されるため、処理遅延を抑えるべく、無線基地局ＢＳから、中継局に対して次のメッセージ（図３Ｓ４７参照）の送信に必要とされる帯域を自動的に割当てることで、中継局ＲＳからの帯域割当て要求を省略することができる。
【００５７】
尚、無線端末ＭＳと中継局ＲＳ、及び無線基地局ＢＳにより無線通信システムが構成されるのは第１の実施例と同様である。以下、第３の実施例以降も同様である。図３は、本実施例２における帯域割当てシーケンスの例を示す図である。
【００５８】
まず、無線端末ＭＳは無線基地局ＢＳから帯域割当てを受けるために、第１の実施例と同様に、無線端末用のＢＷ  Ｒｅｑ  Ｃｏｄｅ群に含まれる１つのＣｏｄｅを中継局ＲＳに送信する（Ｓ４０）。
【００５９】
中継局ＲＳは、無線基地局ＢＳに特定のＢＷ  Ｒｅｑ  Ｃｏｄｅを送信する（Ｓ４１）。このＣｏｄｅは中継局ＲＳに予め割当てられた特定のコード（無線端末が用いるＣｏｄｅとは区別が可能なコード）である。この特定のコードを受信した無線基地局ＢＳは、同コードを送信した中継局ＲＳを特定することができる。
【００６０】
尚、図３では無線端末ＭＳがＢＷ  Ｒｅｑ  Ｃｏｄｅを送信する例を示しているが、その他のコード、例えば、Ｒａｎｇｉｎｇ用のＣｏｄｅでも同様である（詳細は、第９の実施例で説明する）。
【００６１】
従って、本実施例２では複数あるＣＤＭＡ  Ｃｏｄｅ（例えば２２５種類）のうち、いくつかを先に説明した４つの用途に加えて、新たに中継局ＲＳに割り当て、所定の帯域を獲得するために用いるようにする（後述する第３の実施例以降も全く同様である）。
【００６２】
この特定のＢＷ  Ｒｅｑ  Ｃｏｄｅの中継局ＲＳへの割当ては、例えば、中継局ＲＳが無線基地局ＢＳに接続するときに行うことができる。例えば、無線基地局ＢＳから中継局ＲＳに送信されるレンジング応答メッセージ（ＲＮＧ−ＲＳＰ（Ｒａｎｇｉｎｇ  Ｒｅｓｐｏｎｓｅ））、基本機能応答メッセージ（ＳＢＣ−ＲＳＰ（ＳＳ  Ｂａｓｉｃ  Ｃａｐａｂｉｌｉｔｙ  Ｒｅｓｐｏｎｓｅ））、登録応答メッセージ（ＲＥＧ−ＲＳＰ（Ｒｅｇｉｓｔｒａｔｉｏｎ  Ｒｅｓｐｏｎｓｅ））等のメッセージに含ませることで行うこともできる。
【００６３】
さて、次いで、無線基地局ＢＳは、受信した特定コードにより送信元の中継局ＲＳを特定し、送信情報メッセージ（ＢＷ  Ｒｅｑ  Ｍｓｇ）を送信するための所定の帯域を、ＵＬ−ＭＡＰメッセージを利用して割当てる（Ｓ４２）。つまり、無線基地局ＢＳは特定コードを受信したときに、送信情報メッセージを送信するための所定の帯域を中継局ＲＳに自動的に割当てるようにしている。
【００６４】
この送信情報メッセージには、第１の実施例と同様に、無線基地局ＢＳが無線端末ＭＳにＣＤＭＡ  Ａｌｌｏｃａｔｉｏｎ  ＩＥを送信するために必要な情報（Ｆｒａｍｅ  Ｎｕｍｂｅｒ  Ｉｎｄｅｘ、Ｒａｎｇｉｎｇ  Ｃｏｄｅ、Ｒａｎｇｉｎｇ  Ｓｙｍｂｏｌ、Ｒａｎｇｉｎｇ  Ｓｕｂｃｈａｎｎｅｌ等）が含まれる。
【００６５】
また、第１の実施例と同様に、ＵＬ−ＭＡＰメッセージには、割当てる帯域を表すＤｕｒａｔｉｏｎ、コネクションを識別するためのＣＩＤ（Connection Identifier）、符号化方式と変調方式を示すＵＵＩＣが含まれる。割り当て先の中継局ＲＳが特定されているため、ＣＩＤも特定することができ、更に、その中継局ＲＳに最適な符号化方式と変調方式をＵＵＩＣにより指定することもできる。
【００６６】
尚、無線基地局ＢＳが特定コードを受信したときの送信元の中継局ＲＳの検索のために、図４（Ａ）に示す第１の管理テーブルＴ１が無線基地局ＢＳに保持される。各特定コードに対応する中継局ＲＳを示すテーブルである。尚、各特定コードと各中継局ＲＳとを特定するために、事前に中継局ＲＳと無線基地局ＢＳとの間で、ＲＮＧ−ＲＳＰ等により互いに情報が共有されているものとする。
【００６７】
図３に戻り、次いで、中継局ＲＳは割当てられた帯域を利用して送信情報メッセージを送信する（Ｓ４３）。送信情報メッセージに含まれる各情報は、無線端末ＭＳからコードを受信した際の受信結果を中継局ＲＳが保持することで、無線基地局ＢＳへの送信に備えることができる。
【００６８】
次いで、無線基地局ＢＳは、送信情報メッセージを基にして、ＣＤＭＡ  Ａｌｌｏｃａｔｉｏｎ  ＩＥを含むＵＬ−ＭＡＰメッセージを生成して無線端末ＭＳに送信する（Ｓ４４）。
【００６９】
次いで、無線端末ＭＳは、ＣＤＭＡ  Ａｌｌｏｃａｔｉｏｎ  ＩＥにより割当てられた帯域を利用して、中継局ＲＳに帯域要求メッセージ（ＢＷ  Ｒｅｑ  ＧＭＨ）を送信する（Ｓ４５）。
【００７０】
ここで、中継局ＲＳは、この帯域要求メッセージを無線基地局ＢＳに送信するための帯域を無線基地局ＢＳから割り当てられる必要があるが、ここでは、ＢＷ  Ｒｅｑ  Ｃｏｄｅは、無線基地局ＢＳに送信されない。無線基地局ＢＳは、ＣＤＭＡ  Ａｌｌｏｃａｔｉｏｎ  ＩＥを送信した（Ｓ４４）後、帯域要求メッセージ（ＢＷ  Ｒｅｑ  ＧＭＨ）を送信するための帯域を、ＢＷ  Ｒｅｑ  Ｍｓｇの受信から所定時間経過後自動的に中継局ＲＳに割当てるからである（Ｓ４６）。この所定時間は、中継局ＲＳが無線基地局ＢＳに接続を開始する時点でのＲＮＧ−ＲＥＱ、ＳＢＣ−ＲＥＱ、ＲＥＧ−ＲＥＱのいずれかにより中継局ＲＳから無線基地局ＢＳに通知することが望ましい（後述の第８の実施例に詳細を説明する）。尚、この所定時間は、中継局がＢＷ  Ｒｅｑ  ＧＭＨを送信するために必要な処理時間とすることができる。
【００７１】
次いで、中継局ＲＳは割当てられた帯域を利用して、無線端末ＭＳからの帯域要求メッセージ（ＢＷ  Ｒｅｑ  ＧＭＨ）を無線基地局ＢＳに送信する（Ｓ４７）。
【００７２】
次いで、無線基地局ＢＳは、受信した帯域要求メッセージに基づいて帯域割当ての可否を判断し、ＵＬ−ＭＡＰメッセージを利用して、無線端末ＭＳに帯域を割当てる（Ｓ４８）。
【００７３】
次いで、無線端末ＭＳは、割当てられた帯域を利用して、データパケットを中継局ＲＳに送信する（Ｓ４９）。
【００７４】
中継局ＲＳは、同様にして、データパケットを無線基地局ＢＳに送信するための帯域要求を示すＢＷ  Ｒｅｑ  Ｃｏｄｅを送信することはしない。無線基地局ＢＳは、ＵＬ−ＭＡＰメッセージによりデータパケットを送信するだけの帯域を割当てた（Ｓ４８）後、中継局ＲＳの処理遅延を考慮して、無線端末ＭＳが送信可能なデータ量を送信できるための帯域を、所定時間経過後中継局ＲＳに割当てる（Ｓ５０）。この処理遅延も、ＲＮＧ−ＲＥＱ等により接続開始時点に無線基地局ＢＳに通知される。
【００７５】
次いで、中継局ＲＳは、割当てられた帯域を利用して、無線端末ＭＳからのデータパケットを無線基地局ＢＳに送信する（Ｓ５１）。
【００７６】
このように、本実施例２では、中継局ＲＳでは無線端末ＭＳからＢＷ  Ｒｅｑ  Ｃｏｄｅを受信すると特定のＢＷ  Ｒｅｑ  Ｃｏｄｅを無線基地局ＢＳに送信し、無線基地局ＢＳではこのコードの受信により、送信情報メッセージを送信できるための所定の帯域を中継局ＲＳに割当てるようにしている。従って、中継局ＲＳが無線基地局ＢＳに帯域要求をしなくても、無線基地局ＢＳから所定の帯域が割当てられるため、必要な帯域割当てを高速に行い得る。具体的には、第１の実施例と比較して、Ｓ１２、Ｓ１３の処理がないため、本第２の実施例では、第１の実施例と比較して高速に帯域割当てを行うことができる。
【００７７】
また、中継局ＲＳが無線端末ＭＳからの帯域要求メッセージを無線基地局ＢＳに送信する場合も、無線基地局ＢＳに帯域要求を行わずに、無線基地局ＢＳから無線端末ＭＳに帯域要求メッセージを送信するための帯域を割当てた後、所定時間経過後、中継局ＲＳが無線基地局ＢＳに帯域要求メッセージを送信できるだけの帯域を中継局ＲＳに割当てている。従って、中継局ＲＳから無線基地局ＢＳにＢＷ  Ｒｅｑ  Ｃｏｄｅを送信する必要がなく、処理の高速化を図ることができる。
【００７８】
更に、無線端末ＭＳからのデータパケットの送信も全く同様に、無線基地局ＢＳが帯域の割当てを行った後、処理遅延を考慮して、所定時間経過後、無線基地局ＢＳから中継局ＲＳにデータパケットを送信できるための帯域を割当てるようにしているため、帯域要求を行うことなく、帯域割当ての高速化を図ることができる。
【００７９】
図４（Ｂ）は無線基地局ＢＳがＢＷ  Ｒｅｑ  Ｃｏｄｅを受信したときの処理のフローチャートを示し、図５は無線基地局ＢＳが帯域割当ての処理を行う際の処理のフローチャートを示す図である。
【００８０】
図４（Ｂ）に示すように、無線基地局ＢＳはＢＷ  Ｒｅｑ  Ｃｏｄｅを受信すると（Ｓ６０）、中継局ＲＳ固有のコード（特定のＢＷ  Ｒｅｑ  Ｃｏｄｅ）か否か判断する（Ｓ６１）。固有のコードであれば（Ｙ）、そのコードに対応するＣＩＤ、Ｄｕｒａｔｉｏｎ、ＵＵＩＣを付加したＵＬ−ＭＡＰメッセージを生成し、中継局ＲＳに送信する（Ｓ６２）。図３のＳ４２に対応する処理である。
【００８１】
一方、固有のコードでなければ（Ｓ６１でＮ）、ＣＤＭＡ  Ａｌｌｏｃａｔｉｏｎ  ＩＥを付加したＵＬ−ＭＡＰメッセージを生成し、中継局ＲＳに送信する。図１のＳ１２に対応する処理である。以後、処理を繰り返す。
【００８２】
帯域割当ての処理については、図５に示すように、無線基地局ＢＳは無線端末ＭＳに帯域割当てを行ったか否か判断し（Ｓ７０）、帯域割当てを行うため処理を繰り返す（Ｎのループ）。図３のＳ４４やＳ４８に対応する処理である。
【００８３】
帯域割当てを行ったとき（Ｓ７０でＹ）、無線基地局ＢＳは、帯域割当てを行った無線端末ＭＳが中継局ＲＳ経由の通信か否か判断する（Ｓ７１）。例えば、無線基地局ＢＳでは各無線端末ＭＳの通信経路を示す管理テーブルを有し、これを参照することで判断する。
【００８４】
中継局ＲＳ経由でないと（Ｎ）、再びＳ７０に移行し処理を繰り返す。中継局ＲＳ経由のときは（Ｓ７１でＹ）、無線基地局ＢＳは所定時間経過後に中継局ＲＳに対して帯域を割当てる（Ｓ７２）。図３のＳ４６やＳ５０に対応する処理である。以後、処理を繰り返す。
【００８５】
次に、無線基地局の構成例について説明する。図６は、無線基地局ＢＳのブロック構成例を示す図である。無線基地局ＢＳは、受信部１１と、制御メッセージ抽出部１２と、パケット再生部１３と、ＮＷインターフェース部１４と、Ｃｏｄｅ受信部１５と、ＭＡＰ情報生成部１６と、制御メッセージ解析部１７と、パケット識別部１８と、パケットバッファ部１９と、ＰＤＵ生成部２０と、送信部２１とを備える。
【００８６】
受信部１１は、アンテナ２２より、コードを受信すると当該コードに関する情報をＣｏｄｅ受信部１５に出力する。受信部１１は、コード以外のメッセージやデータパケットを受信したとき、これらを制御メッセージ抽出部１２に出力する。
【００８７】
制御メッセージ抽出部１２は、帯域要求メッセージ（ＢＷ  Ｒｅｑ  ＧＭＨ）などの制御メッセージを抽出し、制御メッセージ解析部１７に出力する。その他のユーザパケットはパケット再生部１３に出力され、ＮＷインターフェース部１４を介して上位ネットワークに送信される。
【００８８】
Ｃｏｄｅ受信部１５は、受信したコードに関する情報と、コード値に対応する割当て帯域量（ＢＷ  Ｒｅｑ  Ｃｏｄｅであれば帯域要求メッセージ（ＢＷ  Ｒｅｑ  ＧＭＨ）分）をＭＡＰ情報生成部１６に出力する。
【００８９】
このとき、Ｃｏｄｅ受信部１５は受信したコード値が、特定のコード（特定のＢＷ  ＲｅｑＣｏｄｅ）であれば、中継局ＲＳに所定の帯域を割当てるＵＬ−ＭＡＰを生成するようにＭＡＰ情報生成部１６に通知する。中継局ＲＳとの通信に使用する変調方式、符号化方式を考慮して帯域割り当てを行うようにする。
【００９０】
一方、その他のコードの場合、コードの送信元を特定できないため、ＣＤＭＡ  Ａｌｌｏｃａｔｉｏｎ  ＩＥを利用して帯域を割当てるようにＭＡＰ情報生成部１６に伝える。
【００９１】
制御メッセージ解析部１７は、帯域要求メッセージを解析し、同メッセージのＣＩＤより送信ノード（例えば中継局ＲＳ）を特定し、その送信ノードとの通信に使用している変調方式、符号化方式を考慮して、必要な帯域を割当てるようにＭＡＰ情報生成部１６に通知する。
【００９２】
ＭＡＰ情報生成部１６は、Ｃｏｄｅ受信部１５又は制御メッセージ解析部１７からの情報を基にして、ＭＡＰ情報を生成する。尚、ＮＷインターフェース部１４を介してパケット識別部１８にて受信した、Ｄｏｗｎｌｉｎｋ方向のパケットはパケット識別部１８にて宛先無線端末ＭＳやＱｏｓ（Quality of Service）クラスが判別され、その情報がＭＡＰ情報生成部１６に通知される。ＭＡＰ情報生成部１６は、この情報を基にして、Ｄｏｗｎｌｉｎｋ方向のＭＡＬ情報（ＤＬ−ＭＡＰ）を生成して送信する。
【００９３】
また、ＭＡＰ情報生成部１６では、無線端末ＭＳに対して帯域割当て後、無線端末ＭＳとの通信を中継する中継局ＲＳに対して、所定時間経過後に、帯域を割当てる。このとき、無線端末ＭＳが中継局ＲＳとの通信するときの変調方式、及び符号化方式（符号化レートを含む）と、中継局ＲＳが無線基地局ＢＳと通信するときの、それらの方式は異なる可能性があるため、同じデータ量を送信できるだけの帯域を割当てる。
【００９４】
例えば、無線端末ＭＳの変調方式がＱＰＳＫで符号化レートが１／２、中継局ＲＳの変調方式が１６ＱＡＭで符号化レートが１／２の場合、中継局ＲＳに割当てる帯域幅は、無線端末ＭＳに割当てる帯域の半分で良い。
【００９５】
Ｄｏｗｎｌｉｎｋの場合も、ＭＡＰ情報生成部１６は、中継局ＲＳに無線端末ＭＳ宛のデータを送信した後、中継局ＲＳから帯域要求を受信しなくとも所定時間経過後に、中継局ＲＳが無線端末ＭＳに同データを送信するための帯域を割当てる。尚、割り当てはＤＬ−ＭＡＰにより各ノード（中継局ＲＳと無線端末ＭＳ）に通知される。Ｄｏｗｎｌｉｎｋについては、第７の実施例にて説明する。
【００９６】
図７（Ａ）乃至（Ｃ）はこれらの処理を行うための管理テーブルの例を示す。ＭＡＰ情報生成部１６は、第２の管理テーブルＴ２（図７（Ａ））から、無線端末ＭＳとの通信を中継する中継局ＲＳを特定し、第３の管理テーブルＴ３（図７（Ｂ））から処理遅延を特定し、第４の管理テーブルＴ４（図７（Ｃ））から、通信対象の無線端末ＭＳと中継局ＲＳの変調方式及び符号化方式を特定する。尚、各中継局ＲＳの処理遅延は、図７（Ｂ）に示す時間以外にも、フレーム数でもよい。
【００９７】
次に、中継局ＲＳの構成及び動作について説明する。図８は、中継局ＲＳのブロック構成例を示す図である。中継局ＲＳは、受信部３１と、制御メッセージ抽出部３２と、ＰＤＵバッファ部３３と、送信部３４と、Ｃｏｄｅ受信部３５と、制御メッセージ生成部３６と、ＭＡＰ情報解析部３７と、Ｃｏｄｅ生成部３８とを備える。
【００９８】
受信部３１は、無線端末ＭＳから送信されたコード（ＢＷ  Ｒｅｑ  Ｃｏｄｅ）を受信すると、そのコードに関する情報（コード値、コードを受信したＳｕｂｃｈａｎｎｅｌやＳｙｍｂｏｌタイミング等、ＣＤＭＡ  Ａｌｌｏｃａｔｉｏｎ  ＩＥを送信できるだけの情報）をＣｏｄｅ受信部３５に出力する。また、受信部３１は、無線端末ＭＳや無線基地局ＢＳから送信されたＣｏｄｅ以外の情報（制御メッセージとデータパケット）を制御メッセージ抽出部３２に出力する。
【００９９】
制御メッセージ抽出部３２は、制御メッセージからＭＡＰ情報（ＵＬ−ＭＡＰ、ＤＬ−ＭＡＰ）を抽出しＭＡＰ情報解析部３７に出力し、ユーザパケットをＰＤＵバッファ部３３に出力する。
【０１００】
ユーザパケットはＰＤＵバッファ部３３から送信部３４、アンテナ３９を介して、無線端末ＭＳまたは無線基地局ＢＳに送信される。
【０１０１】
Ｃｏｄｅ受信部３５は、コードに関する情報を無線基地局ＢＳに通知するメッセージ（送信情報メッセージ（Ｓ４３で送信されるメッセージ）等）を生成するように制御メッセージ生成部３６に通知する。また、Ｃｏｄｅ受信部３５は、メッセージを送信するための帯域割当てを受けるためのコード（例えば、図３のＳ４１により送信される特定のコード）を送信するようにＭＡＰ情報解析部３７に通知する。
【０１０２】
制御メッセージ生成部３６では、Ｃｏｄｅ受信部３５からのコードに関する情報に基づいて、無線基地局ＢＳに送信するメッセージを生成し、ＰＤＵバッファ部３３に出力して、当該メッセージが蓄積される。
【０１０３】
ＭＡＰ情報解析部３７は、制御メッセージ抽出部３２からのＵＬ−ＭＡＰメッセージ（例えば、図３のＳ４２により受信したＵＬ−ＭＡＰメッセージ）を解析して、コードの送信が許容されているＳｕｂｃｈａｎｎｅｌおよびＳｙｍｂｏｌタイミングを取得すると、Ｃｏｄｅ受信部３５から取得したコード送信通知に基づき、Ｃｏｄｅ生成部３８に対してコード（特定のコード）の生成を指示し、取得したコードの送信タイミングで送信部３４から送信させる。
【０１０４】
また、制御メッセージ生成部３６からＰＤＵバッファ部３３に蓄積されたメッセージ（送信情報メッセージ等）は、ＭＡＰ情報解析部３７で解析された帯域割当てに基づいて、ＰＤＵバッファ３３からの送信が制御される。
【０１０５】
コードやメッセージは、送信部３４からアンテナ３９を介して、無線基地局ＢＳや無線端末ＭＳに送信される。
【０１０６】
図９は、無線基地局ＢＳからＣｏｄｅを受信したときに中継局ＲＳで実行される処理の例を示すフローチャートである。
【０１０７】
中継局ＲＳは、無線端末ＭＳからＣｏｄｅ（図３のＳ１０によるＢＷ  Ｒｅｑ  Ｃｏｄｅ）を受信すると（Ｓ８０でＹ）、Ｃｏｄｅ値、Ｆｒａｍｅ  Ｉｎｄｅｘ、Ｓｕｂｃｈａｎｎｅｌ、Ｓｙｍｂｏｌを無線基地局ＢＳに送信するためのメッセージ（送信情報メッセージ）を生成する（Ｓ８１）。
【０１０８】
次いで、中継局ＲＳは、生成したメッセージを送信する帯域が有るか否か判断する（Ｓ８２）。当該メッセージを送信するだけの帯域を受けたか否かで判断する。
【０１０９】
メッセージを送信する帯域があれば（Ｙ）、中継局ＲＳは、Ｓ８１で生成したメッセージを無線基地局ＢＳに送信する（Ｓ８４）。図３のＳ４３に相当する。
【０１１０】
一方、メッセージを送信する帯域がなければ（Ｓ８２でＮ）、中継局ＲＳは特定のＢＷ  Ｒｅｑ  Ｃｏｄｅを無線基地局ＢＳに送信する（Ｓ８３）。図４のＳ４１に相当する処理である。
【第３の実施例】
【０１１１】
次に第３の実施例について説明する。
【０１１２】
第２の実施例では、帯域要求を示すＣＤＭＡ  Ｃｏｄｅのうち、特定コードで示されたＢＷ  Ｒｅｑ  Ｃｏｄｅを中継局ＲＳが送信する例について説明した。そして、その特定コードで示されたＢＷ  Ｒｅｑ  Ｃｏｄｅは、各中継局ＲＳに対して個別に割当てていた（図４（Ａ）参照）。
【０１１３】
本第３の実施例では、複数の中継局ＲＳに対して同一の特定コードを割当てるようにする。そして、同一の特定コードが割当てられた中継局ＲＳには、共通のＣＩＤ（Connection ID、以下、本第３の実施例においてMulticast Polling CIDと称する）を割当てる。
【０１１４】
例えば、図３において、中継局ＲＳが特定コードで示されたＢＷ  Ｒｅｑ  Ｃｏｄｅを送信しているが（Ｓ４１）、各中継局ＲＳで共通に割当てられた特定コードを送信する。当該コードを受信した無線基地局ＢＳは、中継局ＲＳからの帯域要求であると認識し、Ｍｕｌｔｉｃａｓｔ  Ｐｏｌｌｉｎｇ  ＣＩＤに帯域を割当てる情報を含むＵＬ−ＭＡＰメッセージを生成して送信する（Ｓ４２）。共通に割当てられた特定コードは中継局ＲＳのＣｏｄｅ生成部３８で生成され、Ｍｕｌｔｉｃａｓｔ  Ｐｏｌｌｉｎｇ  ＣＩＤを含むＵＬ−ＭＡＰメッセージは無線基地局ＢＳのＭＡＰ情報生成部１６で生成される。
【０１１５】
図１０（Ａ）は、ＣＤＭＡ  Ｃｏｄｅと、Ｍｕｌｔｉｃａｓｔ  Ｐｏｌｌｉｎｇ  ＣＩＤとの対応関係を示す第５の管理テーブルＴ５の例である。無線基地局ＢＳは、この第５の管理テーブルＴ５を参照してＵＬ−ＭＡＰメッセージを作成する。無線基地局ＢＳは、ＵＬ−ＭＡＰメッセージの「ＣＩＤ」フィールド（図２２参照）に、対応するＭｕｌｔｉｃａｓｔ  Ｐｏｌｌｉｎｇ  ＣＩＤを挿入して送信する。
【０１１６】
第１及び第２の実施例では、この「ＣＩＤ」フィールドに各中継局ＲＳのＣＩＤ、つまり各中継局ＲＳを表わすＣＩＤが挿入されていた。本第３の実施例では、中継局ＲＳに対して共通のＣＩＤを「ＣＩＤ」フィールドに挿入する。このように複数の中継局ＲＳに同一のＣＩＤを割当てることで、特定コードの資源を節約することができる。以降の処理は、第２の実施例と同様である。
【０１１７】
共通のＣＩＤを割当てられた各中継局ＲＳでは、同じ帯域が割当てられることになり、その帯域を利用して、各中継局ＲＳは帯域要求メッセージを無線基地局ＢＳに送信できる。第２の実施例における個別のＣＩＤの割当ても同様に、各中継局ＲＳに異なる帯域が割当てられることになる。
【０１１８】
尚、Ｍｕｌｔｉｃａｓｔ  Ｐｏｌｌｉｎｇ  ＣＩＤは、同一の変調方式および符号化方式を用いて通信する無線基地局ＢＳに対して、同一のＣＩＤを割当てることが望ましい。中継局ＲＳと無線基地局ＢＳとの間では、かならずしも同一の変調方式等で通信しているわけではなく、同一の変調方式等で通信している中継局ＲＳと無線基地局ＢＳとの間でグループ化して、同一のＣＩＤを割当てることで、割当てた帯域で使用される変調方式等を最適化することができる。
【０１１９】
このように割当てた第６の管理テーブルＴ６の例を図１０（Ｂ）に示す。複数の中継局ＲＳ（「ＲＳ＃１」と「ＲＳ＃２」）で共通のＭｕｌｔｉｃａｓｔ  Ｐｏｌｌｉｎｇ  ＣＩＤ（「０ｘ０１０１」）が割当てられている。
【第４の実施例】
【０１２０】
次に、第４の実施例について説明する。
【０１２１】
第２の実施例等では、無線端末ＭＳに帯域を割当てると（図３のＳ４４、Ｓ４８）、所定時間経過後に、自動的に中継局ＲＳに帯域を割当てていた（図３のＳ４６、Ｓ５０）。
【０１２２】
従って、無線端末ＭＳから送信されたデータを中継局ＲＳが正常に受信できなかった場合、中継局ＲＳに割当てた帯域が使用されず無断になることがある。とくに、帯域要求メッセージ（ＢＷ  Ｒｅｑ  ＧＭＨ、図３のＳ４５やＳ４７）に対する帯域割当て（図３のＳ４８）はデータパケット用でありパケット長が大きいときエラーが生じやすい。また、データパケットに対して大きな帯域を割当てることが多く、正常に中継局ＲＳがデータパケットを受信できなかった場合に、帯域割当てが非効率となる。
【０１２３】
そこで、帯域要求メッセージに対する帯域割当てが、どのＱｏｓ（Quality of service）クラスのコネクション（ＣＩＤ）向けかを判断する。帯域要求メッセージ内のＣＩＤ（図２３（Ａ）及び（Ｂ）参照）は、その後に送信するデータのＱｏｓクラス（「ｂｅｓｔ  ｅｆｆｏｒｔ」や、「帯域保障」等）が示されるため、それに応じて自動的に帯域割当てを行う場合と、中継局ＲＳからの新たな帯域要求メッセージにより帯域割当てを行う場合とで使い分けるようにする。これにより、データパケットのＱｏｓクラスに応じた帯域割当てを行うことができる。
【０１２４】
図１１（Ａ）は、中継局ＲＳから帯域要求メッセージを受信したときの無線基地局ＢＳにおける処理の動作を示すフローチャートである。
【０１２５】
無線基地局ＢＳは、帯域要求メッセージ（ＢＷ  Ｒｅｑ  ＧＭＨ）を受信すると（Ｓ９０でＹ）、高優先コネクションか否か判断する（Ｓ９１）。図１１（Ｂ）は、どのコネクションがどの優先度（Ｐｒｉｏｒｉｔｙ）か、を管理する第７の管理テーブルＴ７の例を示す図である。中継局ＲＳから帯域要求メッセージを受信すると、無線基地局ＢＳは、メッセージ中の「ＣＩＤ」フィールド（図２３（Ａ）及び同図（Ｂ）参照）からＣＩＤを抽出し、第７の管理テーブルＴ７から優先度を検索する。検索した結果、当該優先度が「Ｈｉｇｈ」のとき、コネクションは「高優先コネクション」であり、「Ｌｏｗ」のときは「高優先コネクション」ではない。
【０１２６】
尚、かかる判断は、無線基地局ＢＳの制御メッセージ解析部１７により行われる。
【０１２７】
図１１（Ａ）に戻り、「高優先コネクション」のとき（Ｓ９１でＹ）、無線基地局ＢＳは無線端末ＭＳに帯域割当てた後、所定時間経過すると中継局ＲＳに帯域を割当てる（Ｓ９２）。処理はＳ９０に戻り、処理を繰り返す。
【０１２８】
一方、「高優先コネクション」でないとき（Ｓ９１でＮ）、中継局ＲＳからの新たな帯域要求メッセージの受信を待ち（Ｓ９０）、処理を繰り返す。
【０１２９】
図１１（Ａ）に示す処理では、帯域要求メッセージのＣＩＤが高優先コネクションでないと、無線基地局ＢＳから帯域割当てが行われないことになる。しかし、データパケット中に帯域要求を指定することができるため、この新たな帯域要求により足りない帯域を指定することで高優先コネクションとなり、無線基地局ＢＳから中継局ＲＳに帯域割当てを行うこともできる。
【０１３０】
それ以外の処理は第２の実施例と同様のため、帯域割当ての処理を高速化することができる。
【第５の実施例】
【０１３１】
次に第５の実施例について説明する。
【０１３２】
第２の実施例では、中継局ＲＳに固有のコード値（第２の実施例における特定コードの値、図４（Ａ）参照）が割当てられ、そのコード値を使用して帯域要求をすることで、無線基地局ＢＳは中継局ＲＳを特定し、その中継局ＲＳに最適な変調方式等を指定して帯域を割当てることができた。
【０１３３】
一般に、中継局ＲＳは無線基地局ＢＳと見通し可能なように配置されることが多く、両者間の通信品質は良好な場合が多い。かかる場合、各中継局ＲＳに最適な変調方式等に大きな差が無い可能性が高い。
【０１３４】
そこで、このような場合に、各コードに中継局ＲＳを対応付けるのではなく、要求する帯域と直接関連付けることで、中継局ＲＳからの帯域要求メッセージ（ＢＷ  Ｒｅｑ  ＧＭＨ）の送信を省略し、更に帯域割当ての処理を高速化することができる。
【０１３５】
図１２（Ａ）は、各コードと帯域量とを関連付けた関連付けテーブルＴ８の例を示す図である。関連付けテーブルＴ８には、管理帯域要求を示すコード値に対応するように帯域が保持される。
【０１３６】
図１２（Ｂ）は、コードと帯域を関連付けた処理の動作を示すシーケンス図である。
【０１３７】
まず、無線端末ＭＳは、ＢＷ  Ｒｅｑ  Ｃｏｄｅを中継局ＲＳに送信する（Ｓ１００）。中継局ＲＳは、帯域要求メッセージを送信するだけの帯域を、ＵＬ−ＭＡＰを利用して割当てる（Ｓ１０１）。
【０１３８】
次いで、無線端末ＭＳは、割当てられた帯域を利用して帯域要求メッセージ（ＢＷ  Ｒｅｑ  ＧＭＨ）を中継局ＲＳに送信し（Ｓ１０２）、無線基地局ＢＳは帯域要求メッセージにより要求された帯域の可否を判断して、所定の帯域を割当てる（Ｓ１０３）。
【０１３９】
次いで、無線端末ＭＳは、割当てられた帯域を利用してデータパケットを中継局ＲＳに送信する（Ｓ１０４）。
【０１４０】
中継局ＲＳは、データパケットの送信に必要とされる最小限の帯域に対応するコードを利用して、ＢＷ  Ｒｅｑ  Ｃｏｄｅを無線基地局ＢＳに送信する（Ｓ１０５）。例えば、１５Ｂｙｔｅの送信が必要であれば、コード０ｘ１００２を送信する。
【０１４１】
無線基地局ＢＳは、最大で受信コードに対応する帯域を割当てるＣＤＭＡ  Ａｌｌｏｃａｔｉｏｎ  ＩＥを含むＵＬ−ＭＡＰメッセージを中継局ＲＳに送信する（Ｓ１０６）。割当てられた帯域で使用される変調方式および符号化方式は全ての中継局ＲＳが無線基地局ＢＳと通信可能なものに指定される（「ＵＵＩＣ」フィールドに挿入される）。
【０１４２】
中継局ＲＳは、割当てられた帯域を利用してデータパケットを無線基地局ＢＳに送信する（Ｓ１０７）。
【０１４３】
このように、コードと帯域とを直接関連付けることで、中継局ＲＳから無線基地局ＢＳへの帯域要求メッセージ（ＢＷ  Ｒｅｑ  ＧＭＨ）と、それに対応する無線基地局ＢＳから中継局ＲＳへのＵＬ−ＭＡＰメッセージとが省略され、第１の実施例（図２）と比較して更に処理を高速化することができる。
【０１４４】
尚、中継局ＲＳにおけるＳ１０５の処理は、ＭＡＰ情報解析部３７の指示によりＣｏｄｅ生成部３８において、データパケットを送信するだけの帯域に相当するコードを利用したＢＷ  Ｒｅｑ  Ｃｏｄｅが生成されて送信される。また、無線基地局ＢＳにおけるＳ１０６の処理は、Ｃｏｄｅ受信部１５において、関連付けテーブルＴ８から帯域量を求めてＭＡＰ情報生成部１６に出力し、ＭＡＰ情報生成部１６からＵＬ−ＭＡＰメッセージが生成され送信される。
【第６の実施例】
【０１４５】
次に、第６の実施例について説明する。本第６の実施例は、中継局ＲＳが配下の無線端末ＭＳに対して、ＵＬ−ＭＡＰメッセージを生成して帯域割当てを行う例（Distributed Scheduling）である。更に、本第６の実施例では、中継局ＲＳから無線基地局ＢＳへの帯域要求メッセージに帯域割当て希望時刻（Allocation
Time）を挿入して送信するようにしている。当該時刻になると、無線基地局ＢＳは中継局ＲＳに帯域割当てを行い、中継局ＲＳは無線端末ＭＳからのデータパケットを適切なタイミングで無線基地局ＢＳに送信することができる。
【０１４６】
図１３（Ａ）は、本実施例における動作シーケンスを示す図である。
【０１４７】
まず、無線端末ＭＳは、ＢＷ  Ｒｅｑ  Ｃｏｄｅを中継局ＲＳに送信する（Ｓ１１０）。中継局ＲＳは、帯域要求メッセージを送信できるだけの帯域を割当ててもらうために、無線基地局ＢＳに対してＢＷ  Ｒｅｑ  Ｃｏｄｅを送信する（Ｓ１１１）。
【０１４８】
また、中継局ＲＳは、ＣＤＭＡ  Ａｌｌｏｃａｔｉｏｎ  ＩＥを含むＵＬ−ＭＡＰメッセージを無線端末ＭＳに送信し、無線端末ＭＳからの帯域要求メッセージを送信できるようにする（Ｓ１１２）。
【０１４９】
無線端末ＭＳは、割当てられた帯域を利用して帯域要求メッセージ（ＢＷ  Ｒｅｑ  ＧＭＨ）を送信する（Ｓ１１４）。一方、中継局ＲＳは、ＣＤＭＡ  Ａｌｌｏｃａｔｉｏｎ  ＩＥを含むＵＬ−ＭＡＰメッセージを受信し（Ｓ１１３）、この帯域を利用して帯域要求メッセージを送信する（Ｓ１１５）。
【０１５０】
ただし、この帯域要求メッセージ（以下、本第６の実施例において、第２の帯域要求メッセージ）には割当て希望時刻が含まれる。割当て希望時刻は、中継局ＲＳが無線端末ＭＳに帯域を割当てて（後述のＳ１１６）、データパケットを受信する時刻（Ｓ１１８）に中継局ＲＳ内の処理遅延を加えた時刻、或いは、無線端末ＭＳからデータパケットを受信して最短で当該データパケットを無線基地局ＢＳに送信する時刻の直前、である。
【０１５１】
図１３（Ｂ）に、第２の帯域要求メッセージのフォーマット例を示す。「Ａｌｌｏｃａｔｉｏｎ  Ｔｉｍｅ」フィールドに、中継局ＲＳが希望する希望時刻が挿入される。第２の帯域要求メッセージの送信時刻からの経過時間を表わす。尚、無線基地局ＢＳは第２の帯域要求メッセージを受信すると、最低Ａｌｌｏｃａｃｔｉｏｎ  Ｔｉｍｅ経過後、要求された帯域量またはその一部を中継局ＲＳに割当てる。
【０１５２】
図１３（Ａ）に戻り、割当て希望時刻になると、無線基地局ＢＳは中継局ＲＳに帯域割当てを行い（Ｓ１１７）、中継局ＲＳは無線端末ＭＳからデータパケットを受信し（Ｓ１１８）、割当てられた帯域を利用して、当該データパケットを無線基地局ＢＳに送信する（Ｓ１１９）。
【０１５３】
本第６の実施例における無線基地局ＢＳのブロック構成例は第２の実施例と同様の構成である（図６参照）。中継局ＲＳのブロック構成例を図１４に示す。
【０１５４】
図６を参照して、無線基地局ＢＳについて簡単に説明する。無線基地局ＢＳは第２の実施例と略同様に動作するが、異なるのは制御メッセージ解析部１７において帯域要求メッセージにＡｌｌｏｃａｔｉｏｎ  Ｔｉｍｅが含まれていれば、Ａｌｌｏｃａｔｉｏｎ  Ｔｉｍｅ経過後に、ＭＡＰ情報生成部１６に帯域の割当てを依頼する。そして、ＭＡＰ情報生成部１６においてＵＬ−ＭＡＰメッセージが生成され中継局ＲＳに送信される。
【０１５５】
一方、中継局ＲＳは、第２の実施例における中継局ＲＳ（図８参照）と比較して、ＭＡＰ情報解析部３７に替えて、制御メッセージ解析部４０とＭＡＰ情報生成部４１とが付加された構成である。
【０１５６】
ＭＡＰ情報生成部４１は、Ｃｏｄｅ受信部３５から、受信したコード値と割当て帯域量とともに、ＣＤＭＡ  Ａｌｌｏｃａｔｉｏｎ  ＩＥを利用して無線端末ＭＳに帯域を割当てることを指示した通知を受け取る。
【０１５７】
制御メッセージ解析部４０は、無線基地局ＢＳから受信した（制御メッセージ抽出部３２からの）ＵＬ−ＭＡＰを解析して、Ｃｏｄｅの送信可能なＳｕｂｃｈａｎｎｅｌおよびＳｙｍｂｏｌタイミングを取得すると、所定のコードの生成と送信を行うようにＣｏｄｅ生成部３８に指示する。また、制御メッセージ解析部４０は、割当てられた帯域を利用して、無線基地局ＢＳに送信するデータパケットや制御メッセージを送信するようにＰＤＵバッファ部３３に指示する。更に、無線端末ＭＳから帯域要求メッセージを受信した場合には、制御メッセージ解析部４０は、メッセージの内容を制御メッセージ生成部３６に通知するとともに、ＭＡＰ情報生成部４１に対しても無線端末ＭＳに対する帯域割り当てを行うように通知する。
【０１５８】
制御メッセージ生成部３６は、無線端末ＭＳから要求された帯域量と、時刻情報を含む第２の帯域要求メッセージを生成し、ＰＤＵバッファ部３３に格納し、無線基地局ＢＳに送信する。尚、帯域割当て希望時刻は、同帯域を無線端末ＭＳに割当てた時刻に中継局ＲＳの処理遅延を加えた値以上である。
【０１５９】
図１５（Ａ）は本実施例における無線基地局ＢＳの処理の動作を示すフローチャート、同図（Ｂ）は中継局ＲＳの動作を示すフローチャートである。
【０１６０】
図１５（Ａ）に示すように、無線基地局ＢＳは帯域要求メッセージを中継局ＲＳから受信すると（Ｓ１２０でＹ）、帯域要求メッセージにＡｌｌｏｃａｔｉｏｎ  Ｔｉｍｅが含まれるか否か判断し（Ｓ１２１）、含まれていれば（Ｙ）、Ａｌｌｏｃａｔｉｏｎ  Ｔｉｍｅ経過後に中継局ＲＳに帯域を割当てる（Ｓ１２２）。一方、帯域要求メッセージにＡｌｌｏｃａｔｉｏｎ  Ｔｉｍｅが含まれていなければ（Ｓ１２１でＮ）、直ちに帯域割当てを行う（Ｓ１２３）。
【０１６１】
一方、図１５（Ｂ）に示すように、中継局ＲＳでは無線端末ＭＳから帯域要求メッセージを受信すると（Ｓ１３０でＹ）、帯域要求メッセージを送信するだけの帯域が有るか否か判断する（Ｓ１３１）。
【０１６２】
帯域が既に確保されていれば（Ｙ）、無線端末ＭＳに帯域を割当てるとともに、無線基地局ＢＳに帯域要求メッセージを送信する（Ｓ１３２）。図１３（Ａ）における、Ｓ１１４からＳ１１６にかけての処理に対応する。
【０１６３】
一方、帯域がなければ（Ｓ１３１でＮ）、帯域要求を示すＣＤＭＡ  Ｃｏｄｅ（ＢＷ  Ｒｅｑ  Ｃｏｄｅ）を送信する（Ｓ１３３）。図１３（Ａ）におけるＳ１１４の帯域要求メッセージを受けて、ＢＷ  Ｒｅｑ  ＣｏｄｅをＳ１１５のタイミングで行うことに相当する。以後の処理は、タイミングがずれてＳ１１３以降の処理が行われる。
【第７の実施例】
【０１６４】
次に第７の実施例について説明する。本第７の実施例は、Ｄｏｗｎｌｉｎｋ方向の帯域割当ての例である。図１６（Ａ）にシーケンス図を示し、同図（Ｂ）にフローチャートを示す。
【０１６５】
図１６（Ａ）に示すように、無線基地局ＢＳは、中継局ＲＳを経由する無線端末ＭＳへのデータパケットを中継局ＲＳに送信するための帯域を割当てるＤＬ−ＭＡＰメッセージを生成して、中継局ＲＳに送信する（Ｓ１４０）。かかるＤＬ−ＭＡＰメッセージは、ＭＡＰ情報生成部１６（図６参照）で生成される。
【０１６６】
次いで、中継局ＲＳは、受信したＤＬ−ＭＡＰメッセージに従って無線基地局ＢＳからのデータパケットを受信する（Ｓ１４１）。無線基地局ＢＳからのデータパケットの送信は、例えば、ＮＷインターフェース部１４から送信部２１（図６参照）にかけての経路により生成、送信される。中継局ＲＳのデータパケットの受信は、受信部３１（図８参照）で行われる。
【０１６７】
次いで、無線基地局ＢＳは、中継局ＲＳが無線端末ＭＳにデータパケットを送信するための帯域を割当てるＤＬ−ＭＡＰメッセージを生成し、ブロードキャストで送信する（Ｓ１４２、Ｓ１４３）。
【０１６８】
このＤＬ−ＭＡＰメッセージは、中継局ＲＳが無線基地局ＢＳからデータパケットを受信して、中継局ＲＳの処理遅延を考慮した遅延分経過後に、中継局ＲＳが無線端末ＭＳにデータパケットを送信可能になる時刻を送信タイミングとして指定して、無線基地局ＢＳから無線端末ＭＳに送信される。即ち、Ｓ１４０のＤＬ−ＭＡＰで指定したデータパケットの送信タイミングに対して、Ｓ１４２のＤＬ−ＭＡＰで指定するデータパケットの送信タイミングを所定時間遅延させたものに設定するのである。
【０１６９】
次いで、中継局ＲＳはＳ１４２で受信したＤＬ−ＭＡＰにより割当てられた帯域を利用して、無線端末ＭＳにデータパケットを送信し、無線端末ＭＳはＤＬ−ＭＡＰの情報に従ってデータパケットを受信する（Ｓ１４４）。
【０１７０】
無線基地局ＢＳでの帯域割当て動作について、図１６（Ｂ）を参照して説明する。
【０１７１】
まず、無線基地局ＢＳは、ダウンリンク用のデータ（ＤＬ  Ｄａｔａ）を受信したか否かを判断し（Ｓ１５０）、当該データを受信するまで待つ（Ｎのループ）。
【０１７２】
当該データを受信すると（Ｙ）、無線基地局ＢＳはデータが中継局ＲＳを経由して無線端末ＭＳ宛てのデータか否か判断する（Ｓ１５１）。第２の実施例でも説明したように、無線基地局ＢＳでは、無線端末ＭＳの送信経路を示す管理テーブルを保持するため、これを参照することで判断する。
【０１７３】
中継局ＲＳを経由した無線端末ＭＳへのデータのとき（Ｓ１５１でＹ）、無線基地局ＢＳは中継局ＲＳに、当該データを送信するための帯域を割当てる（Ｓ１５２）。図１６（Ａ）のＳ１４０に対応する処理である。ＭＡＰ情報生成部１６（図６参照）で行われる処理である。
【０１７４】
次いで、無線基地局ＢＳは、中継局ＲＳが無線端末ＭＳにデータを送信するための帯域を割当てる（Ｓ１５３）。図１６（Ａ）のＳ１４２に対応する処理であり、ＭＡＰ情報生成部１６で行われる処理である。
【０１７５】
一方、データが中継局ＲＳを経由した無線端末ＭＳ宛てのデータでないとき（Ｓ１５１でＮ）、無線基地局ＢＳは無線端末ＭＳに対して直接、データを送信するための帯域を割当てる（Ｓ１５４）。ＭＡＰ情報生成部１６で行われる処理である。
【０１７６】
このように、ダウンリンク方向に対しても適切に帯域割当てを行って、データパケットを無線基地局ＢＳから中継局ＲＳを介して無線端末ＭＳに送信することができる。また、その際に、データパケットを中継局ＲＳから無線端末ＭＳに送信するための帯域は、中継局ＲＳがデータパケットを送信可能になるタイミングに合わせて行われる。従って、中継局ＲＳから適切なタイミングでデータパケットを無線端末ＭＳに送信することができる。
【０１７７】
尚、ダウンリンク方向に対する本実施例７の帯域割当ては、上述した第３乃至第６の実施例でも実施することができる。
【第８の実施例】
【０１７８】
次に第８の実施例について説明する。第２の実施例において、帯域割当てを無線端末ＭＳに行った後、所定時間経過後に自動的に中継局に対して帯域を割当てていた。本第８の実施例は、所定時間を予め中継局ＲＳから無線基地局ＢＳに送信する例である。
【０１７９】
図１７（Ａ）は、本第８の実施例におけるシーケンスの例を示す図である。中継局ＲＳは、電源投入後（Ｓ１６０）、レンジング処理（Ｓ１６１〜Ｓ１６４）を行う。中継局ＲＳと無線基地局ＢＳとのタイミングや送信電力を調整するために行われる処理である。
【０１８０】
次いで、中継局ＲＳの最大送信電力等の物理層に関連する能力（Capability）の一覧を無線基地局ＢＳに通知するための処理（Ｓ１６５〜Ｓ１６６）が行われる。
【０１８１】
図１７（Ｂ）及び同図（Ｃ）に示すように、中継局ＲＳから送信されるＳＢＣ−ＲＥＱ（基本機能）メッセージのＴＢＡフィールドにアップリンク方向に遅延情報やダウンリンク方向の遅延時間を加味した時間情報が挿入される。時間情報が挿入されたＳＢＣ−ＲＥＱメッセージの例を図１８に示す。例えば、中継局ＲＳの制御メッセージ生成部３６により生成される。
【０１８２】
次いで、中継局ＲＳの認証や暗号化に用いる暗号鍵の交換等の処理が行われ（Ｓ１６７〜Ｓ１６８）、ＭＡＣ層や上位層の能力に関する登録の処理が行われる（Ｓ１６９〜Ｓ１７０）。
【０１８３】
この一連の初期シーケンスにおいて、上述の例ではＳＢＣ−ＲＥＱ（基本機能要求メッセージ）内に遅延時間を加味した時間情報を含めて、中継局ＲＳから無線基地局ＢＳに送信するものとして説明したが、勿論、レンジング要求メッセージ（ＲＮＧ−ＲＥＱ）や、認証要求メッセージ（ＰＫＭ−ＲＥＱ）や、登録要求メッセージ（ＲＥＧ−ＲＥＱ）に挿入するようにしてもよい。その際に、図１８と同様に空きフィールド等に挿入すればよい。
【０１８４】
これにより、第２の実施例で示したように、所定時間（時間情報で指定された時間）経過後に自動的に無線基地局ＢＳから中継局ＲＳに帯域割当てが行われる。
【第９の実施例】
【０１８５】
次に、第９の実施例について説明する。第２の実施例では、帯域割当てを示すＣＤＭＡ  Ｃｏｄｅ（ＢＷ  Ｒｅｑ  Ｃｏｄｅ）を用いて帯域を割当てるようにしていた。本第９の実施例は、ＣＤＭＡ  ＣｏｄｅのうちＲａｎｇｉｎｇ  Ｃｏｄｅにより帯域割当てを行う例である。
【０１８６】
図１９（Ａ）は、本第９の実施例におけるシーケンスの例を示す図である。
【０１８７】
まず、無線端末ＭＳがＲａｎｇｉｎｇ  Ｃｏｄｅを中継局ＲＳに送信する（Ｓ１８０）。レンジング要求メッセージ（ＲＮＧ−ＲＥＱ）を送信できるための帯域割当ての要求を行っている。
【０１８８】
次いで、中継局ＲＳは、特定コードで示されたＢＷ  Ｒｅｑ  Ｃｏｄｅを無線基地局ＢＳに送信する（Ｓ１８１）。第２の実施例と同様である。レンジング情報メッセージ（Ｒａｎｇｉｎｇ  Ｒｅｑ  Ｍｓｇ）を送信できるだけの帯域の要求を無線基地局ＢＳに行っている。
【０１８９】
次いで、無線基地局ＢＳは特定コードの受信により、自動的にＵＬ−ＭＡＰメッセージの送信により所定の帯域の割当てを行い（Ｓ１８２）、中継局ＲＳはこの割当てられた所定の帯域を利用してレンジング情報メッセージを無線基地局ＢＳに送信する（Ｓ１８３）。
【０１９０】
このレンジング情報メッセージには、Ｒａｎｇｉｎｇ  Ｃｏｄｅのコード値、Ｆｒａｍｅ  Ｉｎｄｅｘ、Ｓｕｂｃｈａｎｎｅｌ、Ｓｙｍｂｏｌ（ＣＤＭＡ  Ａｌｌｏｃａｔｉｏｎ  ＩＥを送信するための情報）以外にも、補正情報や、レベル、周波数の情報等（レンジング応答メッセージ（ＲＮＧ−ＲＳＰ）を送信するための情報）も含まれる。
【０１９１】
そして、無線基地局ＢＳは、レンジング情報メッセージから補正情報等を抽出して、レンジング応答メッセージ（ＲＮＧ−ＲＳＰ）を無線端末ＭＳに送信し（Ｓ１８４）、レンジング情報メッセージからコード値等を抽出して、ＣＤＭＡ  Ａｌｌｏｃａｔｉｏｎ  ＩＥを含むＵＬ−ＭＡＰを無線端末ＭＳに送信する（Ｓ１８５）。
【０１９２】
次いで、無線端末ＭＳは、ＵＬ−ＭＡＰにより割当てられた帯域を利用して、レンジング要求メッセージ（ＲＮＧ−ＲＥＱ）を中継局ＲＳに送信する（Ｓ１８６）。
【０１９３】
次いで、無線基地局ＢＳは、第２の実施例と同様に、中継局ＲＳの処理遅延を考慮して、遅延分経過後、ＵＬ−ＭＡＰを中継局ＲＳに送信し（Ｓ１８７）、中継局ＲＳはＵＬ−ＭＡＰメッセージにより割当てられた帯域を利用して、レンジング要求メッセージ（ＲＮＧ−ＲＥＱ）を無線基地局ＢＳに送信する（Ｓ１８８）。
【０１９４】
図１９（Ｂ）は、レンジング応答メッセージ（ＲＮＧ−ＲＳＰ）に含まれる情報の例を示す図である。タイミングや、電力レベル、オフセット周波数の調整等の情報が含まれ、これらの情報がレンジング情報メッセージ（Ｒａｎｇｉｎｇ  Ｒｅｑ  Ｍｓｇ）に含まれている。
【０１９５】
このように、レンジングコードを利用しても、第２の実施例と略同様の動作を行うことができるため、帯域割当てを高速に行うことができる。
【０１９６】
尚、無線基地局ＢＳと中継局ＲＳの構成は、第２の実施例と同様である（図６、図８参照）。特定コードはＣｏｄｅ生成部３８により生成され、レンジング情報メッセージは制御メッセージ生成部３６で生成し、送信する。また、無線基地局ＢＳでは、レンジング応答メッセージをＭＡＰ情報生成部１６で生成して送信する。  
【産業上の利用可能性】
【０１９７】
本発明は、中継局を介して無線端末と無線基地局との間における無線通信に適用して好適である。
【図１】
2008044317.tif 000003
【図２】
2008044317.tif 000004
【図３】
2008044317.tif 000005
【図４】
2008044317.tif 000006
【図５】
2008044317.tif 000007
【図６】
2008044317.tif 000008
【図７】
2008044317.tif 000009
【図８】
2008044317.tif 000010
【図９】
2008044317.tif 000011
【図１０】
2008044317.tif 000012
【図１１】
2008044317.tif 000013
【図１２】
2008044317.tif 000014
【図１３】
2008044317.tif 000015
【図１４】
2008044317.tif 000016
【図１５】
2008044317.tif 000017
【図１６】
2008044317.tif 000018
【図１７】
2008044317.tif 000019
【図１８】
2008044317.tif 000020
【図１９】
2008044317.tif 000021
【図２０】
2008044317.tif 000022
【図２１】
2008044317.tif 000023
【図２２】
2008044317.tif 000024
【図２３】
2008044317.tif 000025
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局と、該端末との間に介在して中継を行う中継局において、
前記所定の信号列群に含まれない特定の信号列を送信する送信部を備え、
該特定の信号列を受信した前記無線基地局から要求帯域の通知のための上り方向のチャネルを割り当てられることなく、所定の送信帯域の割り当てを受けることを特徴とする中継局。
【請求項２】
端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局において、
中継局から前記所定の信号列群に含まれない特定の信号列を受信すると、要求帯域を通知するための上り方向チャネルを割当てずに、前記中継局に対して所定の送信帯域を割当てる制御部、
を備えることを特徴とする無線基地局。
【請求項３】
無線基地局と端末との間で中継局を介して無線通信を行う無線通信システムにおける無線基地局による帯域割当て方法において、
中継局に送信するデータの送信帯域を前記端末に割当て、
該割り当ての後に、前記中継局から更なる帯域の割り当て要求を受信せずに、前記中継局に前記データを該無線基地局に送信するための帯域を割当てる、
ことを特徴とする帯域割当て方法。
【請求項４】
無線基地局と端末との間で中継局を介して無線通信を行う無線通信システムにおける無線基地局による帯域割当て方法において、
該無線基地局から該中継局に該端末宛のデータを送信し、
該送信の後に、該中継局に送信帯域の割り当て要求を受信せずに、前記データを前記端末に送信するための帯域を前記中継局に割当てる、
ことを特徴する帯域割当て方法。
【請求項５】
前記所定時間は、前記中継局と前記無線基地局とが接続を開始するときに交換されるレンジングメッセージ、基本機能メッセージ、登録メッセージのいずれかにより前記中継局から前記無線基地局に通知されることを特徴とする請求項３または４のいずれか一に記載の帯域割当て方法。
【請求項６】
端末からレンジング用信号列群のうち、いずれかの信号列を受信すると、当該信号列に応答するための応答情報を前記端末に送信し、レンジング要求の送信帯域を前記端末に割当てる無線基地局と、該端末の間に介在して中継を行う中継局において、
前記信号列群に含まれない、特定の信号列を送信する送信部を備え、
要求帯域を通知するための上り方向チャネルを割当てられることなく、前記端末から受信したレンジング用信号列に関する情報を送信するための所定の送信帯域を割当てられることを特徴とする中継局。
【請求項７】
端末からレンジング用信号列群のうち、いずれかの信号列を受信すると当該レンジング信号に応答するための応答情報を前記端末に送信し、レンジング要求の送信帯域を前記端末に割当てる無線基地局において、
中継局から前記信号列群に含まれない特定の信号列を受信すると、要求帯域を通知するための上り方向チャネルを割当てずに、前記中継局に対して、前記中継局が受信したレンジング用信号列に関する情報を送信するための送信帯域を割当てる制御部、
を備えることを特徴とする無線基地局。
【請求項８】
端末と無線基地局との間で無線通信を行う中継局において、
要求する帯域割当て量と割当てを受ける時間を指定する情報を含む帯域要求メッセージを生成する帯域要求メッセージ生成部と、
前記帯域要求メッセージを前記無線基地局に送信する送信部と、
を備えることを特徴とする中継局。
【請求項９】
端末と中継局を介して無線通信を行う無線基地局において、
要求された帯域割当て量と割当てを受ける時間とが指定された情報を含む帯域要求メッセージを、前記中継局から受信する受信部と、
前記帯域要求メッセージに含まれる前記割当てを受ける時間経過後に、前記要求された帯域割当て量の全部または一部を前記中継局に割当てる帯域割当て部と、
を備えることを特徴とする無線基地局。
【請求項１０】
端末から所定の信号列群のうち、いずれかの信号列を受信すると要求帯域を通知するための上り方向チャネルを割当て、該チャネルにより前記端末から通知された要求帯域に応じた送信帯域を前記端末に割当てる無線基地局に対して、メッセージを送信する中継局における帯域割当て方法において、
前記所定の信号群に含まれない特定の信号列を送信し、
要求帯域を通知するための上り方向チャネルを割当てられることなく、前記無線基地局から前記送信帯域を割当てられる、
ことを特徴とする帯域割当て方法。
【請求項１１】
受信した信号列の種別を判定し、要求帯域を通知するためのチャネルを割り当てることなく、コードの種別に応じて異なる送信帯域を送信装置に割り当てる制御部、
を備えたことを特徴とする無線基地局。
【国際調査報告】
2008044317.tif 000026
2008044317.tif 000027
2008044317.tif 000028
2008044317.tif 000029